(57)【要約】      （修正有）【課題】１以上のブラシ要素を高信頼性で簡単かつ迅速にコストをかけずに、着脱可能に、そして調節可能に取り付けることができる、１以上のブラシ要素のための支持体を提供する。【解決手段】１以上のブラシ要素のための支持体１である。該支持体は、前面に１以上のブラシ要素を着脱可能に取り付けた１以上のキャリヤ３０と、該１以上のキャリヤの前面の反対側の背面３６に着脱可能に取り付けられる１以上のバー２とを含む。該１以上のキャリヤの背面には、該１以上のバーの複数の平行溝３とロック可能な１以上の弾性ロック要素５が取り付けられている。【選択図】図７
2010179963.tif 000002
【特許請求の範囲】
【請求項１】
１以上のブラシ要素（１０）が前面（３５）に着脱可能に取り付けられる１以上のキャリヤ（３０）と、該キャリヤ（３０）の前面（３５）の反対側にある背面（３６）に着脱可能に取り付けられる１以上のバー（２）とを含む、１以上のブラシ要素（１０）のための支持体（１）であって、
１以上の弾性ロック要素（５）が該１以上のキャリヤ（３０）の背面（３６）に取り付けられ、該ロック要素は該１以上のバー（２）の複数の平行溝（３）とロック可能である、
ことを特徴とする、支持体。
【請求項２】
前記ロック要素（５）は、前記１以上のキャリヤ（３０）の背面（３６）に取り付けられた弾性横板（７）で橋渡しされた２つのブラケット（６）を有し、各該ブラケット（６）は前記１以上のバー（２）の複数の平行溝（３）とロック可能である開口部（８）を有する、ことを特徴とする、請求項１に記載の支持体。
【請求項３】
前記開口部（８）が前記バー(２)の複数の平行溝（３）と係合しないように、前記ロック要素(５)のブラケット（６）が互いに押し合わせられている時に、該バー(２)は該ブラケット（６）の開口部（８）内で自由に移動可能である、ことを特徴とする、請求項２に記載の支持体。
【請求項４】
各前記ブラケット（６）は、力を該ブラケット(６)に伝える耳部（９）を有することを特徴とする、請求項２又は３に記載の支持体。
【請求項５】
前記バー（２）は、互いに角度（４）をなして形成される第１のアーム（１２Ａ）と第２のアーム（１２Ｂ）とを有し、各該アーム（１２Ａ，１２Ｂ）はそれぞれ少なくともその一部に複数の平行溝（３）を有することを特徴とする、請求項１〜４のいずれか一に記載の支持体。
【請求項６】
前記角度（４）は９０度であることを特徴とする、請求項５に記載の支持体。
【請求項７】
２つの前記ロック要素（５）が、各前記キャリヤ（３０）に取り付けられていることを特徴とする、請求項１〜６のいずれか一に記載の支持体。
【請求項８】
少なくとも１つの前記バー（２）に２以上の前記キャリヤ（３０）がモジュールとして、上下方向に及び／又は横方向に接して着脱可能に取り付けられていることを特徴とする、請求項１〜７のいずれか一に記載の支持体。
【請求項９】
前記ブラシ要素（１０）は、形状に適合して接しているモジュールとして配列され、前記キャリヤ（３０）に着脱可能に取り付けられていることを特徴とする、請求項８に記載の支持体。
【請求項１０】
請求項１〜９のいずれか一に記載の、ブラシ要素（１０）のための複数の支持体（１）を有するラベル貼り装置（４０）であって、１以上のバー（２）の自由端（１３）が、該１以上のバー（２）の複数の平行溝（３）と１以上のロック要素（５）とによって、該ラベル貼り装置（４０）に調節可能にかつ着脱可能に取り付けられていることを特徴とする、ラベル貼り装置。
【発明の詳細な説明】
【技術分野】
【０００１】
（関連出願の記載）
本願は、２００９年２月３日出願に係るドイツ特許出願ＤＥ１０２００９００３４２７．７の優先権を主張するものであり、当該出願の全記載内容は引用をもって本書に組み込み記載されている。
【０００２】
本発明は、１以上のブラシ要素のための支持体に関する。本発明は特に、１以上のキャリヤを有し、１以上のブラシ要素が１以上のキャリヤの平坦な前面に着脱可能に取り付けられており、１以上のバーが１以上のキャリヤの前面とは反対側の背面に着脱可能に取り付けられている、１以上のブラシ要素のための支持体に関する。
【０００３】
本発明はまた、ブラシ要素のためのそのような複数の支持体を有するラベル貼り装置に関する。
【背景技術】
【０００４】
ドイツ特許出願ＤＥ３５１１９１０Ａ１には、植毛された要素から、均等な密度でブラシ配列を製造する方法及びこの方法により製造されたブラシ配列が開示されている。このブラシ配列は、複数の要素からなるキャリヤの上に形成されている。この要素は、ノッチとピンでキャリヤに取り付けられており、互いにインターロックされている。
【０００５】
ドイツ特許出願ＤＥ１０２００８０３６６７６には、モジュラーブラシシステムとそのブラシシステムを用いたラベル貼り装置が開示されている。このブラシシステムは、複数の受容部を有するキャリヤと、キャリヤに着脱可能に取り付けられた２以上のブラシ要素を含む。各ブラシ要素はブラシ体を含み、このブラシ体は１つの側面に１以上のクランプ手段を有し、それをキャリヤの受容部と組み合わせることにより、着脱可能となっている。
【０００６】
ドイツ特許出願ＤＥ４２３４４３９Ａ１は、フレキシブルなブラシキャリヤを有する人工ブラシを開示している。その要素は、無限キャリヤベルトにノッチとピンで固定されている。
【０００７】
ドイツ実用新案ＤＥ２９８１７６５７Ｕ１には、フレキシブルな無限ブラシ体を有する延伸人工ストリップブラシを開示している。このストリップブラシはクランプ手段を有しており、それによりストリップブラシを、工具を要することなく容易かつ迅速に他の物体に装着できるようになっている。そのため、内側にあごを含むノッチを備えている。他の物体はこのノッチに挿入される。あごは、他の物体をノッチに固定する。
【０００８】
ドイツ特許出願ＤＥ１９７２６９７０Ａ１は、複数のブラシ体要素を含む回転ブラシのためのブラシ体を開示している。これは支持シャフトに迅速且つ容易に取り付けることができる。このブラシ体は、２つの半シェル状のもので形成された円筒形のシェルで、軸端部に接している。既に近傍のシェル要素に固定されているか、又はシェル要素に固定可能な半シェル状の中にあるくぼみ及び結合要素は、くぼみの中の突起とともに、ブラシ体要素を取り付け及び取り外しするためのものである。結合要素は、突起の背後で結合できる。こうして、２つの半シェル状のものの間で、ブラシ体の外周に沿った非永久的な、形状に適合した結合が形成される。
【０００９】
ドイツ特許出願ＤＥ１００５２１１９Ａ１は、円筒状物体、特に紫外線殺菌装置の石英被覆管を清浄に保ち及び／又は洗浄するための、扇形リングブラシを開示している。この扇形リングブラシは、そのトリミングをケーシングに装着する際に施すことができる扇形要素からなり、この扇形要素はリング型のケーシングに１つずつ装着するか、あるいは例えば結合バーとともに、外周に沿って結合される。
【００１０】
欧州特許ＥＰ０３３９９３３Ｂ１のドイツ語訳であるＤＥ６８９０７２６２Ｔ２は、回転仕上げブラシのためのブラシ部材を開示している。ブラシ要素は、ブラシ体の第一又は第二基材の中の基礎要素によってハブに着脱可能に取り付けられている。
【００１１】
さらにＤＥ１０２３３０５５Ａ１，ＵＳ５８１５８７６Ａが知られている。
【先行技術文献】
【特許文献】
【００１２】
【特許文献１】ＤＥ３５１１９１０Ａ１
【特許文献２】ＤＥ１０２００８０３６６７６
【特許文献３】ＤＥ４２３４４３９Ａ１（ＥＰ０５９２８９３）
【特許文献４】ＤＥ２９８１７６５７Ｕ１
【特許文献５】ＤＥ１９７２６９７０Ａ１
【特許文献６】ＤＥ１００５２１１９Ａ１
【特許文献７】ＤＥ６８９０７２６２Ｔ２（ＥＰ０３３９９３３Ｂ１）
【特許文献８】ＥＰ１５５３０４５Ａ１
【特許文献９】ＤＥ１０２３３０５５Ａ１
【特許文献１０】ＵＳ５８１５８７６Ａ
【発明の概要】
【発明が解決しようとする課題】
【００１３】
本発明の第１の視点において、本発明の一課題は、高い信頼性で簡単かつ迅速にコストをかけずに、１以上のブラシ要素を着脱可能に、そして調節可能に取り付けることができる、１以上のブラシ要素のための支持体を提供することである。
【００１４】
本発明の第２の視点において、本発明の他の課題は、ブラシ要素のための複数の支持体を有するラベル貼り装置を提供することである。これにより、ラベル貼り装置は、種々の型のブラシ要素と、できるだけ少ない数の異なる型の支持体により、異なるラベル貼り対象物の異なる要求に対し、簡単且つ迅速に、高い信頼性でコストをかけずに対応することができる。
【課題を解決するための手段】
【００１５】
本発明の第１の視点において、上記一課題に対応して、請求項１に記載の、１以上のブラシ要素のための支持体が提供される。即ち、１以上のブラシ要素が前面に着脱可能に取り付けられる１以上のキャリヤと、該キャリヤの前面の反対側にある背面に着脱可能に取り付けられる１以上のバーとを含む、１以上のブラシ要素のための支持体であって、１以上の弾性ロック要素が該１以上のキャリヤの背面に取り付けられ、該ロック要素は該１以上のバーの複数の平行溝とロック可能である、ことを特徴とする。（形態１）
【００１６】
本発明の第２の視点において、上記２番目の課題に対応して、請求項１０に記載のラベル貼り装置が提供される。即ち、上記形態１に記載の、ブラシ要素のための複数の支持体を有するラベル貼り装置であって、１以上のバーの自由端が、該１以上のバーの複数の平行溝と１以上のロック要素とによって、該ラベル貼り装置に調節可能にかつ着脱可能に取り付けられていることを特徴とする。
【００１７】
なお、特許請求の範囲に付記した図面参照符号は、専ら理解を助けるためであり、図示の形態に限定することを意図するものではない。
【００１８】
（好適な実施の形態）
本発明に係る支持体は、１以上ののキャリヤを含み、このキャリヤの平坦ないし平滑（凹凸のない、湾曲は可）な前面に１以上のブラシ要素を着脱可能に取り付けることができる。この支持体は、キャリヤの前面の反対側にある背面に着脱可能に取り付けることができる１以上のバーを含む。各バーには、複数の平行溝（ノッチ）が形成されている。１以上のキャリヤの背面には、１以上の弾性ロック要素が取り付けられており、これは１以上のバーの複数の平行溝とロックすることができる。
【００１９】
好ましい実施形態において、各ロック要素には弾性横板によって橋渡しされた２つのブラケット（腕木）が形成されている。それぞれの横板は、それぞれのキャリヤの背面に取り付けられている。各ブラケットは、各バーの複数の平行溝とロックできる開口部を有している。もしもロック要素のブラケットが、開口部がバーの複数の平行溝と係合しないように互いの方向に向かって押し合わされた場合には、各バーはブラケットの開口部の中で自由に移動することができる。この場合、ロック要素の２つのブラケットの開口部は、バーがそれを通って自由に動けるように十分大きな面積を有している。こうすることにより、バーはブラケットの開口部の中を、各キャリヤのロック要素を介して、キャリヤにとって最も適切な位置に来るまで前後に動かすことができ、キャリヤに着脱可能に取り付けられるブラシ要素の最適な位置決めを達成できる。バーのロック解除、調節、ロックは工具を用いずにこうしてマニュアルで行うことができる。加えて、ロック要素のブラケットは、より簡単につかみ、押し合わせることができるように、それぞれ耳部を形成することができる。
【００２０】
バーは曲げられており、したがって２つのアーム（部分）を形成している。各アームは、それぞれ少なくとも１つの部分に複数の平行溝を有しており、２つのアームが入れ替え可能に、かつ調節可能にロックできる。１つのアームはブラシ要素のキャリヤのロック要素とロックし、もう１つのアームはラベル貼り装置の適切なロック要素とロックする。バーは曲げられているので、バーの２つのアームの方向で規定される２次元的ないし３次元的な配置調整が可能である。したがって曲げられたバーは、実質的に直線的なバーよりも広範囲の調節が可能である。最適な調節を可能とするため、２つのアームの角度は９０度とすることが理想的である。
【００２１】
まとめると、本発明に係る支持体により、種々の型のブラシ要素をキャリヤから取り外し、高い信頼性で簡単且つ迅速に、コストをかけずに他のブラシ要素に取り替えることができる。本発明に係るラベル貼り装置もまた、もっとも少ない数の異なる型のブラシ要素、バー及びキャリヤのみを用いて、異なるラベル貼り対象物の異なる要求に対して、簡単且つ迅速に、高い信頼性でコストをかけずに対応することができる。ラベル貼り装置に調節可能に取り付けることができるキャリヤは、異なるラベル貼り対象物に、余計な工具を用いずに、簡単且つ迅速に適用することができる。また、もし必要であれば、キャリヤの交換も簡単且つ迅速に可能である。ラベル貼り装置自体については、現状の技術として十分公知であるので詳細には説明しない（例えば欧州出願ＥＰ１５５３０４５Ａ１参照）。
【００２２】
キャリヤのバーへの取り付けをより安定化するため、各キャリヤに１つではなく２つのロック要素を形成することが有利である。ブラシ要素、キャリヤ、ロック要素及びバーから構成されたシステムは、１以上のバー及びロック要素によって互いに上下方向に及び／又は横（左右）方向に接して着脱可能に取り付けられたキャリヤとブラシ要素で、モジュラー形式として用いることができる。特に、ブラシ要素は、キャリヤの上にその前面形状に適合して（互いに相補的な形状で）モジュラー形式で配置することができ、こうしてブラシシステムは均一で単一の植毛表面を形成することができる。
【００２３】
材料とコストの観点から、キャリヤ、バー及びロック要素は、それぞれ一体で、例えば金属で製造することが好ましい。少なくともキャリヤとバーは冷間加工で製造される。
【００２４】
添付の図面を用いて、本発明の実施例とその利点を説明する。図面は、ある要素の他の要素に対する寸法比率は必ずしも実際とは一致していない。即ち理解を容易にするため、あるときは簡略化され、あるときは他の要素に対して拡大して示される。
【図面の簡単な説明】
【００２５】
【図１】本発明の一実施例に係る支持体の一実施例に係るキャリヤを、図４に示すロック要素とともに示した斜視図であり、従来技術である３つのブラシ要素がキャリヤに着脱可能に取り付けられている。
【図２】本発明の一実施例に係る支持体であり、２つのキャリヤがロック要素により２つのバーに着脱可能に取り付けられている。
【図３】図２に示す支持体のうち、１つのキャリヤを示す斜視図である。
【図４】図２に示す支持体のうち、１つのロック要素を示す斜視図である。
【図５】開口部に突起（高い部分）を設けた、ロック要素の他の実施例の斜視図である。
【図６】本発明の他の実施例に係る支持体の前面斜視図であり、ブラシ要素を含む１つのキャリヤを、１つのバーにつき１つのロック要素で２つのバーに取り付けている。
【図７】本発明の他の実施例に係る支持体の背面斜視図である。
【発明を実施するための形態】
【００２６】
本発明における類似の要素又は類似の機能を有する要素には、同一の符号を付している。各図において、明確性のため、図の説明に必要な符号しか付していない。図示の実施例は、本発明に係る装置がどのように適用されるかを説明するためのものであり、本発明を限定するためのものではない。
【００２７】
図１は、本発明の実施例に係る支持体１の実施例であるキャリヤ３０の斜視図である。これはキャリヤ３０の背面３６であり、この実施例では平坦な四角形の板である。キャリヤ３０の背面３６には、図４に示す２つのロック要素５が示されており、図２に示すように、支持体１のバー２の複数の平行溝３によりロック可能である。わかりやすくするため、１つのバー２のロック要素５に対する位置及び向きのみをバー２の長軸１４で示している。平行溝（ないしノッチ）３はバーの長軸１４に対し横断（直交）する方向に形成されている。
【００２８】
キャリヤ３０の下側には、従来技術として公知の３つのブラシ要素１０Ａ，１０Ｂ、１０Ｃがキャリヤ３０の前面３５に着脱可能にロックされている。図では前面３５の端部のみしか見えていない。ブラシ要素１０Ａ，１０Ｂ、１０Ｃは、キャリヤ３０の背面３６に一例としてジグザグの点線で示したように、形状に適合して（相応して）接している。キャリヤ３０はただ１つのピースで形成されており、ジグザグラインはキャリヤ下側のブラシ要素１０Ａ，１０Ｂ、１０Ｃの配列の一例を示すだけである。
【００２９】
キャリヤ３０は６つの受容部３２ないし開口を有しており、図示の実施例においては長方形の形状であり、その形状と寸法はそこに挿入される６つのクランプ手段１５に対応している。クランプ手段１５はブラシ要素１０の上に設けられる。
【００３０】
図示の実施例においては、各クランプ手段１５は、互いに押し合わせることができる２つの弾性つかみフック１６を有しており、これらはキャリヤ３０の受容部３２にブラシ要素１０Ａ，１０Ｂ、１０Ｃを着脱可能に取り付けられるようにキャリヤ３０の背面に係合する。
【００３１】
図１の構成は、ブラシ要素１０を含むキャリヤ３０をモジュールとして構成できることを示したものである。
【００３２】
キャリヤ３０とそのロック要素５、及びブラシ要素１０は本発明の範囲内で変形又は変更が可能であることは当業者に自明である。
【００３３】
図２は、本発明の実施例に係る支持体１の斜視図であり、２つのキャリヤ３０がそれぞれ２つのバー２に２つのロック要素５によって着脱可能に取り付けられている。バー２はそれぞれ９０度の角度４を形成して曲っている。バー２の第１のアーム１２Ａと第２のアーム１２Ｂは、それぞれ複数の平行溝（ノッチ）３をその一部に有する。キャリヤ３０は、図１のそれとは異なる設計となっている。それは浅いＵ字型の断面をしており、前面３５はＵ字型断面の２つの脚部を結合する部分である。前面３５の反対側にある背面３６は、Ｕ字型断面の２つの脚部の間にある部分である。図では背面３６のみ見えており、前面３５は見えていない。ブラシ要素１０（図示せず）のクランプ手段１５は、図１で説明したように、キャリヤ３０の受容部（開口）３２に着脱可能に取り付けることができる。
【００３４】
各キャリヤ３０の背面３６には、２つのロック要素５が見える。２つのバー２のそれぞれの第１のアーム１２Ａは、各ロック要素５のブラケット６の開口部８を貫通している。図示の実施例においては、第１のアーム１２Ａの複数の平行溝３は、ブラケット６を互いに押し合わない限り、開口部８の縁部にロック可能である（互いに押圧するとロック解除される）。ロック要素５の横板（つなぎ部）７は、キャリヤ３０の背面３６に取り付けられている。第２のアーム１２Ｂの自由端１３は、ラベル貼り装置に設けられたロック要素（図示せず）に着脱可能にロックすることができる。図示の例では、２つのキャリヤ３０は隙間なく配列されている。そのため、ブラシ要素１０をキャリヤ３０に同じように隙間なく配列し、隙間のないブラシ表面を形成することができる。図２の構成は、バー２のロック要素５が調節可能であるため、バー２を含むキャリヤ３０をモジュラーとして構成できることを示すものである。
【００３５】
図３は、図２に示す支持体１の、１つのキャリヤ３０の斜視図である。すべての要素の説明はこれまでの図の説明でしたとおりである。キャリヤ３０は例えば長い材料から切断して得られる。既に述べたように、キャリヤ３０とブラシ要素１０は、必要なブラシ形状を得るためにモジュール形式で配列することができる。したがって、ラベル貼り装置のために予めストックしておくべき各種異なる部品及び消耗部材の数を減らすことができる。
【００３６】
図４は、図２の支持体１の、１つのロック要素５の斜視図を示す。開口部８は矩形であり、図２のバー２の矩形断面１１（図２参照）と対応している。しかし開口部８はバー２の断面１１と比べてやや大きい。そのため、ブラケット６の双方の先端部が互いに押し合わされている状態において、各バー２は長軸１４に沿って開口部８に問題なく貫通できる。この状態において、より大きな開口部８’とより小さい断面（図示省略）は、ほぼ同一平面に配列され、ブラケット６は互いに点線６’で示す位置まで押し合わされている。
【００３７】
もしもブラケット６が互いに押し合わされていない場合、バー２の断面１１（図１）に投影された開口部８の範囲８’は断面１１よりも最小限に大きいのみであり、各バー２の複数の平行溝３は各開口部８の縁の少なくとも一部とロック係合する。
【００３８】
他の要素はすべてこれまでの図の説明で説明したとおりである。
【００３９】
図５は、開口部８に、（内方へ突出する）突起（高い部分）１８を有する他の実施例に係るロック要素５の斜視図である。突起１８は、ロック要素５がバー２に沿って移動するのを助ける。突起１８は、各バー２の各平坦面（溝がない面）と当接している。突起１８により、バー２とロック要素５との接触面積が減少し、接触抵抗が減少する。
【００４０】
図６は、本発明の他の実施例に係る支持体１を前面から見た斜視図である。ここでは、キャリヤ３０は、１つのバー２につき１つのロック要素５で、２つのバーに着脱可能に取り付けられている。ブラシ要素１０が、キャリヤ３０の（湾曲した）前面３５に、着脱可能に取り付けられている。
【００４１】
図７は、本発明のさらに他の実施例に係る支持体１の、背面から見た斜視図である。バー２には、複数の平行溝３が各バー２の２つの対向する縁部のみに形成されているところが、各バー２の一端部から対向する他端部まで全体に複数の平行溝３が設けられている先の図とは異なっている。ロック要素５を有するキャリヤ３０と、ブラシ要素１０は図６で説明したとおりである。
【００４２】
本発明を好ましい実施形態を用いて説明した。しかし当業者は、特許請求の範囲に記載した本発明の範囲内で、変形又は変更が可能であることは自明である。特に、複数の平行溝３を有するバー２、ロック要素５を有するキャリヤ３０、クランプ手段１５を有するブラシ要素１０及び／又は受容部３２は、特許請求の範囲に記載の範囲内において、設計や配列を変更し、或いは組替えを行うことが可能である。
【符号の説明】
【００４３】
１  支持体
２  バー
３  平行溝（係止溝ないしノッチ）
５  ロック要素
６  ブラケット
７  横板（つなぎ部）
８  開口部
９  耳部
１０  ブラシ要素
１１  断面（バーの）
１２  アーム
１３  自由端
１４  長軸
１５  クランプ手段
１８  突起
３０  キャリヤ
３２  受容部
３５  前面
３６  背面
【図１】
2010179963.tif 000003
【図２】
2010179963.tif 000004
【図３】
2010179963.tif 000005
【図４】
2010179963.tif 000006
【図５】
2010179963.tif 000007
【図６】
2010179963.tif 000008
【図７】
2010179963.tif 000009